(57)【要約】【課題】ある方向（ｏｎｅ−ｄｉｒｅｃｔｉｏｎ）へ送信電力制御（ＴＰＣ）コマンドを送信することで、逆方向（ｏｐｐｏｓｉｔｅ−ｄｉｒｅｃｔｉｏｎ）で十分な品質を維持するために必要最低限の送信電力が使用される通信システムにおいては、ＴＰＣコマンドは、逆方向のリンクの品質についての情報を得るために使用される。品質が十分である場合は、ＴＰＣの“上昇（ＵＰ）”コマンドの数とＴＰＣの“下降（ＤＯＷＮ）”コマンドの数が同一となる。また品質が悪い場合には、下降コマンドよりもより多くの上昇コマンドを受信することとなる。【解決手段】ユーザ端末は、この情報を使用してＴＰＣ方式を変更することで、高速下り回線パケット接続（ＨＳＤＰＡ）などの通信ノードにおいて、受信品質の悪化および同期損失の危険性を減少することができる。【選択図】図５
2008539620.tif 000002
【特許請求の範囲】
【請求項１】
通信システムにおけるユーザ端末（ＵＥ）であって、
前記ＵＥを対象とした制御記号を再生する装置であって、その場合に、前記制御記号は少なくとも２つの送信ノードから前記ＵＥに向かう送信電力制御（ＴＰＣ）コマンドを含み、前記送信ノードのうち１つの送信ノードは事前に決定された通信サービスのためのサービング・ノード（ｓｅｒｖｉｎｇ  ｎｏｄｅ）である前記装置と、
複数の時間スロット（ｔｉｍｅ  ｓｌｏｔｓ）の間に、前記サービング・ノードから前記ＵＥに向かうＴＰＣコマンドから比率信号（ｒａｔｉｏ  ｓｉｇｎａｌ）を生成するように構成された、ＴＰＣコマンド・フィルタと、
前記比率信号に応答し、前記装置からＴＰＣコマンドを受信し、前記受信コマンドおよび前記比率信号に基づいて、前記ＵＥによる送信電力を制御するために使用されるＴＰＣ制御信号を生成するように構成された、ＴＰＣ合成器とからなり、その場合に、
前記比率信号が第一しきい値を超えた場合、前記ＴＰＣ制御信号は前記サービング・ノードから前記ＵＥに向かうＴＰＣコマンドのみに基づくことを特徴とする、送信電力を可変制御するユーザ端末。
【請求項２】
前記比率信号が前記第一しきい値を超えなかった場合、前記ＴＰＣ制御信号は、前記少なくとも２つの送信ノードから前記ＵＥに向かう前記ＴＰＣコマンドの合成に基づくことを特徴とする、請求項１に記載の送信電力を可変制御するユーザ端末。
【請求項３】
前記ＴＰＣコマンド・フィルタは、前記複数の時間スロットの間に受信する電力上昇コマンドを集計することを特徴とする、請求項１に記載の送信電力を可変制御するユーザ端末。
【請求項４】
前記第一しきい値は約０．８であることを特徴とする、請求項３に記載の送信電力を可変制御するユーザ端末。
【請求項５】
前記ＴＰＣコマンド・フィルタは、前記複数の時間スロットの間に受信する電力下降コマンドを集計することを特徴とする、請求項３に記載の送信電力を可変制御するユーザ端末。
【請求項６】
前記比率信号が第二しきい値を越えるが第一しきい値を超えない場合、前記ＴＰＣ制御信号は、前記複数の時間スロットに続く第一時間スロットに対しては、前記少なくとも２つの送信ノードから前記ＵＥに向かう前記ＴＰＣコマンドの合成に基づき、前記複数の時間スロットに続く第二時間スロットに対しては、前記サービング・ノードから前記ＵＥに向かうＴＰＣコマンドのみに基づくことを特徴とする、請求項１に記載の送信電力を可変制御するユーザ端末。
【請求項７】
前記ＴＰＣコマンド・フィルタは、前記複数の時間スロットの間に受信する電力上昇コマンドを集計することを特徴とする、請求項６に記載の送信電力を可変制御するユーザ端末。
【請求項８】
前記第一しきい値は約０．９で、第二しきい値が０．６であることを特徴とする、請求項７に記載の送信電力を可変制御するユーザ端末。
【請求項９】
前記通信システムは、広帯域符号分割多元接続（ＷＣＤＭＡ：ｗｉｄｅｂａｎｄ  ｃｏｄｅ  ｄｉｖｉｓｉｏｎ  ｍｕｌｔｉｐｌｅ  ａｃｃｅｓｓ）を使用し、前記事前に決定された通信サービスは、高速下り回線パケット接続（ＨＳＤＰＡ：ｈｉｇｈ−ｓｐｅｅｄ  ｄｏｗｎｌｉｎｋ  ｐａｃｋｅｔ  ａｃｃｅｓｓ）サービスであることを特徴とする、請求項１に記載の送信電力を可変制御するユーザ端末。
【請求項１０】
通信システムにおける上がり回線（ｕｐｌｉｎｋ）において、前記ＵＥによる送信電力を制御するユーザ端末内での方法であって、
少なくとも２つの通信ノードから送信電力制御（ＴＰＣ）コマンドを受信し、その場合に、前記送信ノードのうち１つの送信ノードは事前に決定された通信サービスのためのサービング・ノードであり、
複数の時間スロットの間に前記サービング・ノードから受信したＴＰＣコマンドからの比率信号を生成し、
受信したＴＰＣコマンドおよび前記比率信号に基づいて、前記ＵＥによる前記送信電力を制御するためにＴＰＣ制御信号を生成し、その場合に、前記比率信号が第一しきい値を超えた場合、前記ＴＰＣ制御信号は前記サービング・ノードから受信したＴＰＣコマンドのみに基づく、各ステップからなることを特徴とする、可変送信電力制御方法。
【請求項１１】
前記比率信号が第一しきい値を超えなかった場合、前記ＴＰＣ制御信号は、前記少なくとも２つの通信ノードから受信した前記ＴＰＣコマンドの合成に基づくことを特徴とする、請求項１０に記載の可変送信電力制御方法。
【請求項１２】
前記比率信号の生成は、前記複数の時間スロットの間に受信する電力上昇コマンドの集計を含むことを特徴とする、請求項１０に記載の可変送信電力制御方法。
【請求項１３】
前記第一しきい値は約０．８であることを特徴とする、請求項１２に記載の可変送信電力制御方法。
【請求項１４】
前記比率信号の生成は、前記複数の時間スロットの間に受信する電力下降コマンドの集計を含むことを特徴とする、請求項１２に記載の可変送信電力制御方法。
【請求項１５】
前記比率信号が第二しきい値を越えるが第一しきい値を超えない場合、前記ＴＰＣ制御信号は、前記複数の時間スロットに続く第一時間スロットに対しては、前記少なくとも２つの通信ノードから受信した前記ＴＰＣコマンドの合成に基づき、前記複数の時間スロットに続く第二時間スロットに対しては、前記サービング・ノードから受信したＴＰＣコマンドのみに基づくことを特徴とする、請求項１０に記載の可変送信電力制御方法。
【請求項１６】
前記比率信号の生成は、前記複数の時間スロットの間に受信する電力上昇コマンドの集計を含むことを特徴とする、請求項１５に記載の可変送信電力制御方法。
【請求項１７】
前記第一しきい値は約０．９で、第二しきい値が約０．６であることを特徴とする、請求項１６に記載の可変送信電力制御方法。
【請求項１８】
前記比率信号の生成は、前記複数の時間スロットの間に受信する電力下降コマンドの集計を含むことを特徴とする、請求項１６に記載の可変送信電力制御方法。
【請求項１９】
前記通信システムは、広帯域符号分割多元接続（ＷＣＤＭＡ：ｗｉｄｅｂａｎｄ  ｃｏｄｅ  ｄｉｖｉｓｉｏｎ  ｍｕｌｔｉｐｌｅ  ａｃｃｅｓｓ）を使用し、前記事前に決定された通信サービスは、高速下り回線パケット接続（ＨＳＤＰＡ：ｈｉｇｈ−ｓｐｅｅｄ  ｄｏｗｎｌｉｎｋ  ｐａｃｋｅｔ  ａｃｃｅｓｓ）サービスであることを特徴とする、請求項１０に記載の可変送信電力制御方法。
【請求項２０】
コンピュータ読み取り可能な媒体であって、通信システムにおける上がり回線において、ユーザ端末（ＵＥ）による送信電力を制御するためのコンピュータ・プログラムを含み、その場合に、前記コンピュータ・プログラムは、
複数の時間スロットの間にサービング・ノードから受信した送信電力制御（ＴＰＣ）コマンドの比率信号を生成し、
前記サービング・ノードおよび前記少なくとも１つの他の通信ノードから受信したＴＰＣコマンド、および前記ＴＰＣコマンドの比率信号に基づいて、前記ＵＥによる前記送信電力を制御するためにＴＰＣ制御信号を生成する、各ステップからなるコンピュータ・プログラムであり、その場合に、
前記比率信号が第一しきい値を超えた場合、前記ＴＰＣ制御信号は前記サービング・ノードから受信したＴＰＣコマンドのみに基づくことを特徴とする、送信電力を可変制御するコンピュータ読み取り可能な媒体。
【請求項２１】
前記ＴＰＣコマンドの比率信号が第一しきい値を超えなかった場合、前記ＴＰＣ制御信号は、前記サービング・ノード、および前記少なくとも１つの他の通信ノードから受信した前記ＴＰＣコマンドの合成に基づくことを特徴とする、請求項２０に記載の送信電力を可変制御するコンピュータ読み取り可能な媒体。
【請求項２２】
前記比率信号が第二しきい値を越えるが第一しきい値を超えない場合、前記ＴＰＣ制御信号は、前記複数の時間スロットに続く第一時間スロットに対しては、前記サービング・ノードおよび前記少なくとも１つの他の通信ノードから受信した前記ＴＰＣコマンドの合成に基づき、前記複数の時間スロットに続く第二時間スロットに対しては、前記サービング・ノードから受信したＴＰＣコマンドのみに基づくことを特徴とする、請求項２０に記載の送信電力を可変制御するコンピュータ読み取り可能な媒体。
【発明の詳細な説明】
【技術分野】
【０００１】
本発明は、電子デジタル通信システムに関し、特に無線電話システムに関する。
【背景技術】
【０００２】
デジタル通信システムには、時分割多元接続（ＴＤＭＡ）システム、例えばＧＳＭ電気通信基準ならびにＧＳＭ／ＥＤＧＥのような拡張基準に準拠する携帯無線電話システムなどが含まれる。同様にデジタル通信システムには、符号分割多元接続（ＣＤＭＡ）システム、例えばＩＳ−９５、ｃｄｍａ２０００、および広帯域符号分割多元接続（ＷＣＤＭＡ：ｗｉｄｅｂａｎｄ  ＣＤＭＡ）の電気通信基準に準拠する携帯無線電話システムなどが含まれる。デジタル通信システムにはまた、ＴＤＭＡならびにＣＤＭＡが複合されたシステム、例えば国際電気通信連合（ＩＴＵ：Ｉｎｔｅｒｎａｔｉｏｎａｌ  Ｔｅｌｅｃｏｍｍｕｎｉｃａｔｉｏｎ  Ｕｎｉｏｉｎ）のＩＭＴ−２０００の枠組みの中の、欧州電気通信標準化機構（ＥＴＳＩ：Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）によって開発されている第３世代（３Ｇ）携帯システムなどを特定する、統合無線通信システム（ＵＭＴＳ：ｕｎｉｖｅｒｓａｌ  ｍｏｂｉｌｅ  Ｔｅｌｅｃｏｍｍｕｎｉｃａｔｉｏｎｓ  ｓｙｓｔｅｍ）基準に準拠する携帯無線電話システムなども含まれる。第３世代パートナーシップ・プロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）は、ＵＭＴＳならびにＷＣＤＭＡ基準を推奨している。本出願では簡易性の観点でＷＣＤＭＡシステムに焦点を絞って記載しているが、本出願中で説明する原理はその他のデジタル通信システムにおいても実行可能であることが理解されなければならない。
【０００３】
ＷＣＤＭＡは、下り回線（基地から端末）において基地局と物理チャネル（端末またはユーザ）をそれぞれ分離する擬似ノイズのスクランブリング・コードおよび直行チャネライゼーション・コードを備える、直接スペクトラム拡散方式（ｄｉｒｅｃｔ−ｓｅｑｕｅｎｃｅ  ｓｐｒｅａｄ−ｓｐｅｃｔｒｕｍ）技術に基づいている。ＣＤＭＡシステムにおいてはすべてのユーザが同一の無線資源を共有するため、それぞれの物理チャネルが必要以上の電力を使用しないことが重要となる。これは送信電力制御（ＴＰＣ：ｔｒａｎｓｍｉｔ  ｐｏｗｅｒ  ｃｏｎｔｒｏｌ）メカニズムによって達成され、かかるメカニズムにおいては、基地局がユーザに対して下り回線（ＤＬ）方向においてＴＰＣコマンドを送信し、ユーザが上がり回線（ＵＬ）方向においてコマンドを実行する。また、逆方向についても同様である。ＴＰＣコマンドにより、ユーザは送信電力レベルを一定数ずつ増加または減少させ、それにより、基地局とユーザ間の個別物理チャネル（ＤＰＣＨ：ｄｅｄｉｃａｔｅｄ  ｐｈｙｓｉｃａｌ  ｃｈａｎｎｅｌｓ）での目標信号対干渉比（ＳＩＲ）を維持することができる。本発明の説明においては、ＷＣＤＭＡの専門用語を用いているが、その他のシステムについても対応する専門用語を有していることが理解されるべきである。また、スクランブリング・コードおよびチャネライゼーション・コードおよび送信電力制御は一般に知られた技術である。
【０００４】
図１は、例えばＷＣＤＭＡ通信システムとなることができる、移動携帯電気通信システム１０を示している。無線ネットワーク制御装置（ＲＮＣ）１２、１４は、例えば無線接続のベアラ・セットアップ（ｂｅａｒｅｒ  ｓｅｔｕｐ）、ダイバーシチ・ハンドオーバ（ｄｉｖｅｒｓｉｔｙ  ｈａｎｄｏｖｅｒ）などの、種々の無線ネットワーク機能を制御する。多くの場合、それぞれのＲＮＣは、移動局（ＭＳ）もしくはユーザ端末（ＵＥ）と接続され、ＤＬチャネルを通して、または上がり回線においてはＵＬチャネルを通して（すなわち移動端末から基地またはその逆）、それぞれのＵＥと通信する適切な基地局を通じて通信する。ＲＮＣ１２はＢＳ１６、１８、２０と結合し、ＲＮＣ１４はＢＳ２２、２４、２６と結合されている。それぞれのＢＳは、３ＧＰＰ用語においてノードＢと呼ばれ、１または２以上のセルに分割することができる地理的な領域の役目をする。図１においてＢＳ２６は、Ｓ１〜Ｓ５の５つのアンテナ領域（Ａｎｔｅｎｎａ  ｓｅｃｔｏｒｓ）を有しており、ＢＳ２６のセルを構成していると言える。ＢＳは、対応するＲＮＣに専用の電話線、光ファイバーリンク、マイクロ波リンクなどによって接続されている。ＲＮＣ１２ならびに１４は、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなどの外部ネットワークと接続されている。またかかる接続は、移動交換局（図示されていない）および／またはパケット無線サービスノードなどの、１または２以上のネットワークノードを通して接続されている。
【０００５】
高速下り回線パケット接続（ＨＳＤＰＡ：Ｈｉｇｈ−ｓｐｅｅｄ  ｄｏｗｎｌｉｎｋ  ｐａｃｋｅｔ  ａｃｃｅｓｓ）は、ＷＣＤＭＡの通信システムがさらに進化したものであり、例えば１６値直行振幅変調（１６−ＱＡＭ：１６−ａｒｙ  ｑｕａｄｒａｔｕｒｅ  ａｍｐｌｉｔｕｄｅ  ｍｏｄｕｌａｔｉｏｎ）などの高次変調や、例えば１６の拡散因子で１５の符号まで及ぶ多重拡散符号や、ＤＬチャネルのフィードバック情報を使用することにより、例えば１秒間に１０メガビット（Ｍｂ／ｓ）以上に及ぶ高いビット通信速度を供給する。ＨＳＤＰＡは、３ＧＰＰによって推奨されるシステム特性のリリース５バージョン（Ｒｅｌｅａｓｅ  ５  ｖｅｒｓｉｏｎ）に記載されている。ＤＬチャネルのフィードバック情報とは、ＵＬチャネルを通ってＢＳに送られる、ＵＥによるＤＬチャネルの品質に関連した情報である。ＢＳはかかる情報を使用し、最適なスループットのためにＤＬ変調およびコーディングを最適化する。
【０００６】
ＨＳＤＰＡはまた、誤った受信パケットの往復遅延を削減するために、物理層にハイブリッドＡＲＱ（ｈｙｂｒｉｄ  ａｕｔｏｍａｔｉｃ  ｒｅｐｅａｔ  ｒｅｑｕｅｓｔ）方式を採用している。ハイブリッドＡＲＱ方式には、ＵＥによる、ＨＳＤＰＡサービスを供給するＢＳへの肯定応答（ＡＣＫ：ａｃｋｎｏｗｌｅｄｇｍｅｎｔ）および否定応答（ＮＡＣＫ：ｎｏｎ−ａｃｋｎｏｗｌｅｄｇｍｅｎｔ）の送信が含まれる。このＢＳを、サービング・ＢＳまたはサービング・セル（ｓｅｒｖｉｎｇ  ＢＳ  ｏｒ  ｃｅｌｌ）と呼ぶことができる。ＤＬのＨＳチャネルは、ＨＳＤＰＡのサービング・セルからのみ送信され、ＨＳＤＰＡのＵＬ制御信号（ＡＣＫ／ＮＡＣＫおよびＤＬチャネルの品質報告を含む）はＨＳＤＰＡのサービング・セルによってのみ検出される。
【０００７】
ユーザ端末が移動局に対して近づいたとき、もしくは逆の場合においても、実行中の接続はハンドオフまたはハンドオーバの過程を経て持続される。例えば携帯電話システムにおいて、ユーザがあるセルから別のセルに移動すると、ユーザ接続はある基地局から別の基地局へとハンドオーバされる。以前の携帯システムではハード・ハンドオーバ（ＨＨＯ）を伴い、第一セルの基地局（ユーザが離れようとしているセルを対象範囲としている基地局）は、第二基地局（ユーザが進入しようとしているセルを対象範囲としている基地局）が通信を開始する瞬間、ユーザとの通信が停止される。現在の携帯システムでは、一般にダイバーシチ・ハンドオーバ（ｄｉｖｅｒｓｉｔｙ  ｈａｎｄｏｖｅｒ）、またはソフト・ハンドオーバ（ＳＨＯ）を利用し、ユーザは２またはそれ以上の基地局と同時に接続される。図１において、ＭＳ２８、３０はダイバーシチ・ハンドオーバの状況における複数の基地局との接続を示している。ＭＳ２８はＢＳ１６、１８、２０と接続し、ＭＳ３０はＢＳ２０、２２と接続している。ＲＮＣ１２とＲＮＣ１４の間の制御通信リンクにより、ＭＳ３０からまたはＭＳ３０への多様な通信がＢＳ２０、２２を通して可能となる。
【０００８】
ＳＨＯでは、端末はＴＰＣコマンドを１以上の基地局から受信するため、異なる基地局からのＴＰＣコマンド間の不一致を取り扱うための方法が開発されている。ＵＥが１のセルを離れるにつれて、かかるセルの基地局は次第に弱い信号を受信し、当該基地局のＴＰＣコマンドは強い電力を要求することとなる。同時にＵＥは、新たなセルに進入することができ、当該新たなセルの基地局は次第に強い信号を受信し、当該基地局のＴＰＣコマンドは弱い電力を要求することとなるため、両ＴＰＣコマンドの不一致が予測される。３ＧＰＰに準拠したシステムにおいては、信頼性のある下り回線のＴＰＣコマンドを論理和関数で合成し、信頼できるコマンドが“減少（ＤＯＷＮ）”と指示すればＵＥの送信電力は減少される。これは３ＧＰＰの技術仕様書（ＴＳ：Ｔｅｃｈｎｉｃａｌ  Ｓｐｅｃｉｆｉｃａｔｉｏｎ）２５．２１４（Ｖ６．２．０）Ｒｅｌ．６（２００４）、物理層工程（ＦＤＤ：Ｐｈｙｓｉｃａｌ  ｌａｙｅｒ  ｐｒｏｄｅｄｕｒｅｓ）の５．１．２．２．２．３に記載されている。
【０００９】
ＨＳＤＰＡは、ＵＥおよびＢＳが互いに移動するような移動環境において使用されるが、ソフト・ハンドオーバはＨＳＤＰＡチャネルには定義されていない。ＨＳＤＰＡチャネルはハード・ハンドオーバのみをサポートする。したがって、ＵＥがＤＰＣＨに対してＳＨＯを使用するのと同時に、ＨＳＤＰＡチャネルに対してはＨＨＯを使用するといった多くの状況が発生し得る。図２は、ＵＥがＨＳＤＰＡでないチャネルに対してはＳＨＯであり、かつＨＳＤＰＡチャネルを通して送信されるサービスを使用している状況の典型的な例を示す。
【００１０】
図３Ａは図２と似た状況で、ＵＬおよびＤＬにおいて個別物理データチャネル（ＤＰＤＣＨ：ｄｅｄｉｃａｔｅｄ  ｐｈｙｓｉｃａｌ  ｄａｔａ  ｃｈａｎｎｅｌｓ）および個別物理制御用チャネル（ＤＰＣＣＨ：ｄｅｄｉｃａｔｅｄ  ｐｈｙｓｉｃａｌ  ｃｏｎｔｒｏｌ  ｃｈａｎｎｅｌｓ）を通じてＢＳ２０４ならびにＢＳ２０６と複数の同時接続をしているＵＥ２０２を示す。換言すると、ＵＥ２０２はこれらのＨＳＤＰＡでないチャネルに関してはＳＨＯの状態となる。ＤＰＤＣＨは、上位層のネットワーク信号あるいは会話および／または動画サービスを転送する。ＤＰＣＣＨは、上位層の制御信号（例えばパイロット記号または信号、ＴＰＣコマンドなど）を転送する。ＲＮＣ２０８（図３Ａにおいては示していない）は、ＢＳ２０４ならびにＢＳ２０６を制御する。
【００１１】
ＵＥ２０２はＨＳＤＰＡチャネルをも有するが、これらはサービング・セルによってのみ供給され、図３ＡにおいてはＢＳ２０６のＳＩＲがＢＳ２０４のＳＩＲより大きいためＢＳ２０６がサービング・セルとなる。上記のとおり、ＳＨＯはＨＳＤＰＡチャネルに対して定義されていない。下り回線のＨＳＤＰＡチャネルは、ＨＳデータパケットを転送する高速パケットデータ共有チャネル（ＨＳ−ＰＤＳＣＨ：ＨＳ−Ｐａｃｋｅｄ  Ｄａｔａ  Ｓｈａｒｅｄ  Ｃｈａｎｎｅｌ）およびデータパケットに関する制御情報を転送する高速共有制御チャネル（ＨＳ−ＳＣＣＨ：ＨＳ−Ｓｈａｒｅｄ  Ｃｏｎｔｒｏｌ  Ｃｈａｎｎｅｌ）を含む。上がり回線のＨＳＤＰＡチャネルは、ＡＣＫまたはＮＡＣＫ報告およびＤＬチャネルの品質情報を転送する高速個別物理制御チャネル（ＨＳ−ＤＰＣＣＨ：ＨＳ−Ｄｅｄｉｃａｔｅｄ  Ｐｈｙｓｉｃａｌ  Ｃｏｎｔｒｏｌ  Ｃｈａｎｎｅｌ）を含む。
【００１２】
ＳＨＯはＨＳＤＰＡには利用できないにもかかわらず、共通パイロットチャネル（ＣＰＩＣＨ：Ｃｏｍｍｏｎ  Ｐｉｌｏｔ  Ｃｈａｎｎｅｌ）の平均ＳＩＲ（例えばＥｃ／ｌ０）をＵＥが計測し、一定基準（１秒間に通常５回）でアクティブ・セットのすべてのセルから受信し、これらのＨＳＤＰＡでないチャネルにおける最適なＳＩＲを有するセルがＨＳＤＰＡサービング・セルとして指定される。
【００１３】
図３Ａに示すように、ＵＥ２０２はＢＳ２０４からのＤＬの平均ＳＩＲを決定し、それはＢＳ２０６から計測されたＳＩＲよりも大きい。これによりイベント１Ｄ（最適セルの変更）の発生、およびＵＬのＤＰＤＣＨで第３層（Ｌａｙｅｒ−３）の無線資源制御（ＲＲＣ：ｒａｄｉｏ  ｒｅｓｏｕｒｃｅ  ｃｏｎｔｒｏｌ）のメッセージ転送が引き起こされる。イベント１Ｄが引き起こされた後の短期間、ＨＳチャネルは未だＢＳ２０６から転送されている。ＲＮＣはイベント１Ｄのメッセージを受信し、ＨＳサービング・セルの変更についてのメッセージをＤＬのＤＰＤＣＨで第３層のＲＲＣメッセージとしてＵＥに送信する。変更についてのメッセージは、ＨＳチャネルがＢＳ２０４にハンドオーバされる時間についての情報を含んでいる。ＵＥが変更についてのメッセージを受信すると、ＵＬのＤＰＤＣＨで、ＡＣＫメッセージをＢＳ２０４、２０６およびＲＮＣ２０８に送信する。図３Ｂでは、ＨＳＤＰＡでＨＨＯが発生し、ＢＳ２０４がＨＳチャネルの送信および受信をするサービング・セルとなっている。
【００１４】
ＤＬのＨＳＤＰＡでないチャネルにおける平均ＳＩＲのＵＥによる計測により、ＨＳＤＰＡ制御に変化が発生し得る。ＢＳ２０４のＳＩＲがＢＳ２０６のＳＩＲよりも大きくなることはしばしば起こりうることである。さらに、ＵＬおよびＤＬは独立してフェージングするため、ＢＳ２０４からのＤＬはＢＳ２０６からのＤＬよりも低品質である一方で、ＢＳ２０４へのＵＬはＢＳ２０６へのＵＬよりも高品質となることがある。
【００１５】
上記のとおり、ＤＰＤＣＨまたはＤＰＣＣＨは、送信電力制御の下でＳＨＯをサポートし、ＳＨＯの間の電力制御はＴＰＣコマンドに基づくこととなる。ＨＳ−ＤＰＣＣＨは電力制御されるが、高位相信号により設定されるＤＰＣＣＨ  ＵＬに対するオフセットを伴う。ＤＰＣＨはソフト・ハンドオーバとなり、チャネルの独立したフェージングを考慮している一方で、ＴＰＣコマンドの合成は、ＨＳＤＰＡサービング・セルを含まない基地局によって決定されるため、ＨＳＤＰＡ電力制御は不適正なものとなることがある。実際には、ＳＨＯでの容量利得を有するためには、１つのＢＳが満足いくサービス品質を達成するのに十分なＵＥを受信することができれば十分である。すなわちその結果、ＨＳＤＰＡサービング・セルへのＵＬが極めて弱い信号を有するセルとなり、サービング・セルでないセルへの他のＵＬが、ＨＳＤＰＡチャネルに電力制御を指示するセルとなることができる。
【００１６】
これらの結果、ＨＳ−ＤＰＣＣＨの受信性能の低下、間違ったＡＣＫまたはＮＡＣＫメッセージおよびＤＬチャネル品質の検出を招き、それらすべてがＨＳＤＰＡチャネルにおけるスループットを大きく低下させることがある。したがって、これらの問題を排除するための試みが行われてきた。
【００１７】
ある方法においては、３ＧＰＰ基準により、ＤＰＣＨにおける送信電力よりもＨＳ―ＤＰＣＣＨにおける送信電力を大きく定義する。それにもかかわらず、すべてのＵＬの同期化（すなわち経路の探索およびチャネルの推定）は、ＵＬのＤＰＣＣＨにおいて行われる。したがって、ＤＰＣＣＨの受信が著しく弱くなると、同期化の損失が発生し、ＨＳ−ＤＰＣＣＨ電力にかかわらずＨＳ検出ができなくなってしまう。結果としてＨＳの低スループットとなる。
【００１８】
他の方法として、ＨＳサービング・セルのみでＵＬ電力制御を行う方法があるが、ＳＨＯの利得を失い、システムの通話容量を大きく削減してしまう。したがって、かかる方法は３ＧＰＰ基準によっては許容されない。
【００１９】
他の方法として、チャネル品質に従って、ＨＳチャネルにおけるデータ転送速度を可変する方法がある。ハヤシらによる欧州特許出願ＥＰ  １３６３４１３Ａ１号では、例えば、ＨＳ−ＰＤＳＣＨのデータ速度を可変する制御指標として、ＤＰＣＨにおいて要求される送信電力を使用する移動通信システムについて記載している。かかる記載においては、ＤＰＣＨのＤＬ送信電力が低い状態でもＨＳ無線リンク状態がよいと見込まれている。したがって、高速なデータ信号の送信を実行することができ、ＨＳ−ＰＤＳＣＨの送信速度が高く設定されたとしても通信品質の低下の危険性を低くすることができる。逆に、ＤＰＣＨのＤＬ送信電力が高い状態では、無線リンク状態が悪いことが見込まれ、その結果ＨＳ−ＰＤＳＣＨのデータ信号の送信速度を減少させなければ、適切な通信品質を維持することができない。
【００２０】
ＤＰＣＨのＳＨＯの間におけるＨＳチャネルの電力制御の方式が多くの文献で記載されている。例えばマラディらによる米国特許出願公報ＵＳ  ２００４／０２０３９８５号、およびウィンネットらによる国際特許公報ＷＯ  ２００４／０１９５１３Ａ１号などである。マラディらによる文献では、ＵＥがＳＨＯになった場合に、上がり回線のＨＳ−ＤＰＣＣＨの整合性を維持するためにＵＬの電力制御が供給される、と記載されている。ＲＮＣは、サービング・ノードのパイロット信号強さおよび／またはサービング・ノードのＵＬチャネル状態に基づいて、パイロット信号の目標ＳＮＲしきい値を制御している。
【発明の開示】
【００２１】
本出願において説明する方法ならびに装置は、たとえあるＢＳがＤＰＤＣＨまたはＤＰＣＣＨを受信するのに十分な間でも、ソフト・ハンドオーバの間における受信不良およびＨＳＤＰＡサービング・セルへのＵＬの同期の損失に関するＵＥの危険性を、削減することができる。
【００２２】
本発明のある実施形態においては、通信システムにおけるＵＥが提供される。かかるＵＥは、ＵＥを対象とした制御記号を再生する装置を含む。ここでかかる制御記号は、少なくとも２つの送信ノードからＵＥに送信されるＴＰＣコマンドを含み、複数の送信ノードのうちの１つは事前に決定された通信サービスのサービング・ノードである。かかるＵＥはまた、多くの時間スロットの間で、サービング・ノードからＵＥに向かうＴＰＣコマンドから比率信号を生成するように構成された、ＴＰＣコマンド・フィルタを備えている。さらにＵＥは、比率信号に応じて、装置からＴＰＣコマンドを受信するように構成されたＴＰＣ合成器を備えている。受信したコマンドおよび比率信号に基づいて、ＴＰＣ制御信号が生成され、ＵＥによって送信される電力制御のために使用される。比率信号が第一しきい値を超えると、ＴＰＣ制御信号はサービング・ノードからＵＥに向かうＴＰＣコマンドのみに基づくこととなる。
【００２３】
本発明の別の実施形態においては、通信システムにおける上がり回線においてＵＥによって送信される電力を制御する、ＵＥ内の方法が提供される。かかる方法は、少なくとも２つの通信ノードからのＴＰＣコマンドを受信するステップを含み、複数の通信ノードのうちの１つは事前に決定された通信サービスのサービング・ノードである。また当該方法は、多くの時間スロットの間にサービング・ノードから受信したＴＰＣコマンドから比率信号を生成するステップ、およびＵＥにより送信される電力を制御するために、受信ＴＰＣコマンドおよび比率信号に基づいて、ＴＰＣ制御信号を生成するステップを含む。比率信号が第一しきい値を超えると、ＴＰＣ制御信号はサービング・ノードから受信したＴＰＣコマンドのみに基づくこととなる。
【００２４】
本発明のさらに別の実施形態においては、通信システムにおける上がり回線においてＵＥによって送信される電力を制御するためのコンピュータ・プログラムを含むコンピュータ読み取り可能な中間媒体が提供される。かかるコンピュータ・プログラムは、多くの時間スロットの間にサービング・ノードから受信したＴＰＣコマンドから比率信号を生成するステップを実行するものである。またかかるコンピュータ・プログラムは、サービング・ノードおよび少なくとも１つの他の通信ノードから受信したＴＰＣコマンド、ならびにＴＰＣコマンドの比率信号に基づいて、ＵＥによって送信される電力を制御するために、ＴＰＣ制御信号を生成するステップを実行するものである。比率信号が第一しきい値を超えると、ＴＰＣ制御信号はサービング・ノードから受信したＴＰＣコマンドのみに基づくこととなる。
【発明を実施するための最良の形態】
【００２５】
それぞれのＵＬ（およびＤＬ）が満足な品質を維持することを目的として、必要最小限の電力を使用する送信電力制御を使用する通信システムにおいては、ＢＳからのＤＬにおいて送信されるＴＰＣコマンドを使用することで、かかる特定のＢＳへのＵＬの品質に関する情報を得ることができる。ＷＣＤＭＡ通信システムは、かかる通信システムの典型である。ＵＬが十分な品質を有している場合は、ＴＰＣの上昇コマンドとＴＰＣの下降コマンドの比率が１に近くなる（すなわちＴＰＣコマンドの半分が上昇であり、半分が下降である）。ＵＬが低品質を有している場合は、ＴＰＣの上昇コマンドが下降コマンドよりも多くＤＬにおいて送信される。したがって、ＨＳＤＰＡサービング・セルからの特定の期間での大きなＴＰＣ上昇コマンドは、ＨＳ−ＤＰＣＣＨ検出状態がよくない可能性が大きいことを示唆することができる情報である。
【００２６】
ＵＥは、ＵＬ品質に関するこの情報を、電力制御方式を調整するために使用することができる。例えば、ＵＥはかかる電力制御方式を変更することが可能である。すなわち、ＴＰＣコマンドの上昇／下降の比率が特定のしきい値を超えて、ＵＬ信号品質が低下していることを示す場合は、ＵＥは、アクティブ・セット（Ａｃｔｉｖｅ  Ｓｅｔ）のすべてのＢＳからのＴＰＣコマンドを合成し、かかる合成に従って動作する通常の固定方式から、ＨＳＤＰＡサービング・セルからのＴＰＣコマンドのみに従ってＵＬの送信電力を設定する、第２の方式に変更することが可能である。かかる変更可能なＴＰＣ方式により、ＵＥのＵＬ送信電力は、ＵＬからＨＳサービング・セルへの品質が低下した期間のみ増加される。これにより、ＨＳでないチャネルがＳＨＯの場合におけるＨＳ性能（ＨＳ  ｐｅｒｆｏｒｍａｎｃｅ）と、全体のＳＨＯ容量利得（ｃａｐａｃｉｔｙ  ｇａｉｎ）の間のトレード・オフを最適化することができる。
【００２７】
図４はＵＥ４００の部分ブロック図を示し、かかるＵＥ４００は、ＵＥが接続モードであり、ＳＨＯにおいて動作し、ＨＳＤＰＡセッションが進行中の場合に上記変更可能なＴＰＣ方式を実行するのに適したものである。ここでＮｂｓは、ＵＥが同時に接続されているリンク数を表し（すなわちアクティブ・セットの基地局の数ＢＳ１、ＢＳ２・・ＢＳＮｂｓ）、ＨＳＤＰＡのサービング・セルをＢＳｊと表す。
【００２８】
ＷＣＤＭＡ通信システムにおける移動端末などとなるＵＥ４００は、アンテナ４０２を通して無線信号を受信および送信し、例えばフロントエンド（ｆｒｏｎｔ−ｅｎｄ）の受信機（Ｆｅ  ＲＸ）４０４において受信信号を周波数逓降およびサンプリングする。出力サンプルは、ＲＸ４０４からレイク合成器（ｒａｋｅ  ｃｏｍｂｉｎｅｒ）およびデコーダ４０６に流れ、受信したデータおよび制御記号のエコーを逆拡散した後に再度合成し、記号を適切に復号し、かかる復号された記号を特定の通信システムに適応した更なる処理へと伝送する。
【００２９】
レイク合成およびチャネル推定はすでに広く知られた技術である。レイク受信機については、デント（Ｄｅｎｔ）に対する米国特許５３０５３４９号の“量子化コヒーレント・レイク受信機”（Ｑｕａｎｔｉｚｅｄ  Ｃｏｈｅｒｅｎｔ  Ｒａｋｅ  Ｒｅｃｅｉｖｅｒ）、ジー・ボトムレイ（Ｇ．Ｂｏｔｔｏｍｌｅｙ）に対する米国特許６３６３１０４号の“レイク受信機における干渉解除方法および装置”（Ｍｅｔｈｏｄ  ａｎｄ  Ａｐｐａｒａｔｕｓ  ｆｏｒ  ｉｎｔｅｒｆｅｒｅｎｃｅ  Ｃａｎｃｅｌｌａｔｉｏｎ  ｉｎ  ａ  Ｒａｋｅ  Ｒｅｃｅｉｖｅｒ）、およびジー・ボトムレイ（Ｇ．Ｂｏｔｔｏｍｌｅｙ）らに対する米国特許６８０１５６５号の“多段式レイク結合方式および装置”（Ｍｕｌｔｉ−Ｓｔａｇｅ  Ｒａｋｅ  Ｃｏｍｂｉｎｉｎｇ  Ｍｅｔｈｏｄｓ  ａｎｄ  Ａｐｐａｒａｔｕｓ）、およびワン（Ｗａｎｇ）らによる米国特許出願公報２００１／００２８６７７号の“レイク受信機におけるフィンガー遅延の選択装置および方法”（Ａｐｐａｒａｔｕｓ  ａｎｄ  Ｍｅｔｈｏｄｓ  ｆｏｒ  Ｆｉｎｇｅｒ  Ｄｅｌａｙ  Ｓｅｌｅｃｔｉｏｎ  ｉｎ  Ｒａｋｅ  Ｒｅｃｅｉｖｅｒｓ）に記載されている。
【００３０】
Ｆｅ  ＲＸ４０４からの出力サンプルはまた、ＳＩＲおよびチャネル推定器４０８にも転送され、ＤＬの無線チャネルのＳＩＲおよびインパルス応答を推定し、ＴＰＣコマンド・デコーダ４１０へと転送される。チャネル推定については、例えばエル・ウィルヘルムソンらによる米国特許出願１０９２０９２８号の“適応補間によるチャネル推定”（Ｃｈａｎｎｅｌ  Ｅｓｔｉｍａｔｉｏｎ  ｂｙ  Ａｄａｐｔｉｖｅ  Ｉｎｔｅｒｐｏｌａｔｉｏｎ）に記載されている。ＴＰＣデコーダ４１０は、端末が接続されている基地局などのそれぞれのノードからのＴＰＣコマンドを含む制御記号を再生し、ＴＰＣコマンドの流れをＴＰＣ合成器４１２へ転送し、アクティブ・セットのそれぞれのリンクからのＴＰＣコマンドを合成する。
【００３１】
ＴＰＣ合成器４１２は、合成ＴＰＣコマンドを生成し、フロントエンドのトランスミッタ（ＦＥ  ＴＸ）４１４へ転送する。かかるトランスミッタ４１４は、合成されたＴＰＣコマンドを使用して、端末の送信電力を増加または減少させる。アクティブ・セットに１つのリンクしかない場合には、合成ＴＰＣコマンドは、かかる特定のリンクにむけて唯一検出されたＴＰＣコマンド流れである。いくつかのＴＰＣコマンドの決定方法および合成方法が知られており、例えば、ジェイ・ニルソン（Ｊ．Ｎｉｌｓｓｏｎ）らによる米国特許出願公報２００４／０００５８７００号の“偏った解釈を使用する送信電力制御コマンドを決定するための方法、受信機、およびコンピュータ・プログラム製品”（Ｍｅｔｈｏｄｓ、Ｒｅｃｅｉｖｅｒｓ、ａｎｄ  Ｃｏｍｐｕｔｅｒ  Ｐｒｏｇｒａｍ  Ｐｒｏｄｕｃｔ  ｆｏｒ  Ｄｅｔｅｒｍｉｎｉｎｇ  Ｔｒａｎｓｍｉｓｓｉｏｎ  Ｐｏｗｅｒ  Ｃｏｎｔｒｏｌ  Ｃｏｍｍａｎｄｓ  Ｕｓｉｎｇ  Ｂｉａｓｅｄ  Ｉｎｔｅｒｐｒｅｔａｔｉｏｎ）に記載されている。ＴＰＣ合成はしばしば、“いずれかの信頼できるＴＰＣコマンドが”ｄｏｗｎ“と指示する場合は送信電力を減少する”といった考えに基づいており、多くの方法で実現することができる。
【００３２】
ＦＥ  ＴＸ４１４によって供給される信号は、送信されるデータおよび上記のＡＣＫ／ＮＡＣＫ信号を受信する、好適なモジュレータ４１６からの信号に基づいている。モジュレータ４１６は、チャネル品質インデックス写像器（ＣＱＩ  ｍａｐｐｅｒ）４１８からの信号も受信する。かかるＣＱＩ写像器４１８は、ＣＰＩＣＨまたは推定器４０８によって生成されたその他の好適なチャネルの推定ＳＩＲ値を、対応するＣＱＩ値に写像（ｍａｐ）または切り替える。モジュレータ４１６およびフロントエンドのトランスミッタ４１４を通して、ＵＥ４００はＣＱＩ値をそれぞれのＢＳに送信し、ＢＳはかかるＣＱＩ値をモジュレーションおよびコーディング方式の指標として使用することができる。典型的な構成においては、高いＳＩＲは高いＣＱＩに写像され、高いコード速度およびより複雑なモジュレーション、例えば１６−ＱＡＭが使用されることを意味する。同様に低いＳＩＲは低いＣＱＩに写像され、低いコード速度および複雑性の低いモジュレーション、例えばＱＰＳＫが使用されることを意味する。
【００３３】
図４に示すように、ＴＰＣフィルタ４２０および制御ユニット４２２は、ＨＳＤＰＡサービング・セルに対する最近の時間スロットの間における上昇／下降コマンドの比率を協働で決定し、かかる比率信号を使用することで、ＴＰＣ合成器４１２が通常のＴＰＣコマンド合成を実行すべきか、またはＵＥの送信電力をＨＳＤＰＡサービング・セルからのＴＰＣコマンドのみに基づくべきかを決定する。図４ではフィルタ４２０および制御ユニット４２２が異なる装置として示されているが、それぞれの機能は結合され、好適にプログラムまたは構成されたプロセッサまたは回路などとして、単独の装置により実行できることが理解されるべきである。
【００３４】
ＴＰＣフィルタ４２０および制御ユニット４２２は以下に述べるように協働で有利に動作する。ＴＰＣ上昇／下降コマンド比率がＨＳＤＰＡサービング・セルのために計測され、高位層信号からの適切な信号によりフィルタ４２０およびユニット４２２と同定することができる。最近では、比率は時間窓（ｔｉｍｅ  ｗｉｎｄｏｗ）を考慮することにより決定されると考えられ、かかる時間窓は先行するＮスロットを含む。ここでＮは２０＜Ｎ＜２００である。比率信号は、単純にＮスロットの間に受信したＴＰＣ上昇コマンドを、Ｎスロットの合計値で割った値とすることができる。もちろん、比率信号をその他の形式で使用することもでき、例えばＮスロットの間に受信したＴＰＣ下降コマンドを、Ｎで割り、適切な他の偏重を行った値などである。その他の例として、比率信号の形式を、Ｎスロットの間に受信した上昇コマンドを、Ｎスロットの間に受信した下降コマンドで割った値、または引いた値とすることができる。またＮの大きさを踏まえて比率を考慮すると有利となることもある。すなわちＮが小さい場合は、より大きな上昇コマンドまたは比率の大きな変化が低品質のＵＬを指標するのに要求される。
【００３５】
比率信号が約５０〜８０％（Ｎスロットの間に受信した上昇コマンドをＮで割った値からなる比率信号）より小さい場合は、ＨＳサービング・セルのＵＬはＵＥにより同期されていると考えられ、ＢＳにおけるＨＳ−ＤＰＣＣＨ検出は効率よく動作していると考えられることができる。この場合において、ＵＥは標準のＳＨＯのＴＰＣ合成アルゴリズムを使用することができ、いずれかの信頼できるＴＰＣコマンドがＤＯＷＮと指示する場合には電力を減少させることなどができる。かかる比率が約８０％よりも大きい場合は、ＵＥはＨＳサービング・セルが低品質であると判断し、同期から大きく外れていると判断することができる。この場合において、制御ユニット４２２は、ＵＥの送信電力はＨＳＤＰＡサービング・セルからのＴＰＣコマンドのみに基づくこと、または主としてＨＳＤＰＡサービング・セルからのＴＰＣコマンドに基づくことを決定することができる。
【００３６】
上記のしきい値である約８０％や、例としての約５０〜８０％は単なる一例であり、その他の値を用いることができることは、いわゆる当業者であれば理解することができる。最近では、高品質のＵＬはＳＨＯにおいて６０〜７０％以下の傾向があると考えられており、かかる状況においてはアクティブ・セットに１つより多いセルが存在する。同様に低品質のＵＬは１００％に近いＴＰＣ上昇コマンドを有する傾向がある。アクティブ・セットに１つのセルしか存在しない場合は、ＵＬは５０％のＴＰＣ上昇／下降コマンドの比率を有するものと考えることができ、概ね高品質となる。しかし、アクティブ・セットのセルが１つだけの場合においては、ＵＥは単純にかかるセルからのＴＰＣコマンドに常に従う。
【００３７】
フィルタ４２０は多くの方法で実行することができる。ある例として、フィルタ４２０はカウンタおよび分割器を含むことができる。ここでカウンタは上昇コマンドを集計し、分割器は上昇コマンドの数をＮスロットで除算する。他の例として、フィルタ４２０は、ＴＰＣコマンドに従って１つカウントアップまたは１つカウントダウンすることで、５０％の比率に対しては０をカウントすることとなるような、カウンタを含むことができる。
【００３８】
ここでＵＥは、ＴＰＣコマンドを扱う方式を、急に変更する必要はないことが理解されなければならない。アクティブ・セットのすべてのセルからのＴＰＣコマンドを合成する通常の方式に基づいた送信電力制御から、ＨＳＤＰＡサービング・セルからのＴＰＣコマンドのみを使用する新たな方式への、柔軟かつ円滑な移行を供給するのに有利となることができる。柔軟な移行を実行する多くの方式が可能である。１つの例として、ＴＰＣ上昇コマンド比率をｘとする。ｘが約６０％より小さい場合、ＳＨＯのＴＰＣコマンド合成による通常の方式を使用する。ｘが約６０％より大きく約８０％より小さい場合、３スロット毎にＨＳＤＰＡサービング・セルからのＴＰＣコマンドのみに従って送信電力を制御し、残りのスロットについては通常の方式を使用する。ｘが８０％より大きく９０％より小さい場合、２スロット毎（１つのスロットおき）にＨＳＤＰＡサービング・セルからのＴＰＣコマンドのみに従って送信電力を制御し、残りのスロットについては通常の方式を使用する。ｘが９０％より大きい場合、すべてのスロットにおいてＨＳＤＰＡサービング・セルからのＴＰＣコマンドのみに従って送信電力を制御する。
【００３９】
図５は、本発明に従った方式のフローチャートを示す。ステップ５０２において、ＵＥはＳＨＯとなり、ＨＳサービング・セルはＢＳ  Ａである。ステップ５０４において、ＴＰＣコマンドはＳＨＯにおける通常の方式に従って合成され、ＴＰＣコマンド合成の結果は、次のスロットにおけるＵＥの送信ＴＸ電力の上昇または下降の増加分を調節するために使用される。ステップ５０６において、先行するＮスロットの間にＢＳ  Ａから受信したＴＰＣコマンドの流れはフィルタにかけられる。ＢＳ  ＡへのＵＬが低品質ではないことを合成フィルタ信号値が示す場合（ステップ５０８）、フローはステップ５０４に戻る。しかしＢＳ  ＡへのＵＬがＴＰＣコマンド比率によって示さたように低品質である場合、ＵＥの送信電力はＢＳ  ＡからのＴＰＣコマンドのみに基づいて次のスロットにおいて制御される。その後フローは５０６に戻り、別のＮ個のＴＰＣコマンドの一式がＵＬ品質を決定するためにフィルタにかけられる。
【００４０】
上記の方式は、例えば送信機と受信機の間の通信チャネルの時変する特性などに応じて、必要に応じて反復して実行されることを理解することができる。理解を深めるために、本発明の多くの側面を、例えばプログラム化されたコンピュータシステムの要素などによって実行される、動作の順序の観点で説明することができる。特別な回路（例えば特別な機能を実行するために相互接続された個別論理ゲートまたはアプリケーションに特化した集積回路など）、１または２以上のプロセッサより実行されるプログラム命令、またはそれらの結合により多くの動作を実行することができることが認識されるべきである。
【００４１】
さらに本発明は、コンピュータ読み取り可能な記憶媒体（ｃｏｍｐｕｔｅｒ−ｒｅａｄａｂｌｅ  ｓｔｏｒａｇｅ  ｍｅｄｉｕｍ）のいずれの形式においても完全に具体化されるものと考えることができる。コンピュータ読み取り可能な記録媒体は、コンピュータを基本としたシステム、プロセッサを有するシステム、または命令を媒体から取り出して実行するその他のシステムなどの演算実行システム、器具、または装置による使用、またはそれらとの接続による使用のための適切な演算一式を記憶しているものである。ここで使用する“コンピュータ読み取り可能な媒体”は、演算実行システム、機器、装置との接続による、または接続による使用のためのプログラムを含み、記憶し、通信し、伝播し、または送信するいずれの方式となることもできる。しかしコンピュータ読み取り可能な媒体は、例えば、電子的、磁気的、工学的、電磁的、赤外線、または半導体によるシステム、機器、装置または伝播媒体となることができるが、それらに限定されるものではない。コンピュータ読み取り可能な媒体についてのさらに詳細な例（限定的なリスト）として、１または２以上のワイヤ、持ち運び可能なコンピュータ・ディスケット（ｐｏｒｔａｂｌｅ  ｃｏｍｐｕｔｅｒ  ｄｉｓｋｅｔｔｅ）、ランダム・アクセス・メモリ（ＲＡＭ：ｒａｎｄｏｍ−ａｃｃｅｓｓ  ｍｅｍｏｒｙ）、リード・オンリ・メモリ（ＲＯＭ：ｒｅａｄ−ｏｎｌｙ  ｍｅｍｏｒｙ）、消去可能プログラマブルＲＯＭ（ＥＰＲＯＭ：ｅｒａｓａｂｌｅ  ｐｒｏｇｒａｍｍａｂｌｅ  ｒｅａｄ−ｏｎｌｙ  ｍｅｍｏｒｙまたはフラッシュ・メモリ）、および光ファイバを有する電子接続を含む。
【００４２】
すなわち、本発明は多くの異なった形式において具体化することができ、上記においてかかるすべての形式が記載されたわけではなく、かかるすべての異なった方式は本発明の範囲に含まれるものと考えることができる。本発明の種々の側面のそれぞれに関しては、かかる形式のいずれもが上記動作を実行するために“構成された論理（ｌｏｇｉｃ  ｃｏｎｆｉｇｕｒｅｄ  ｔｏ）”、あるいはその代わりとして上記動作を実行する“論理（ｌｏｇｉｃ）”として言及することができる。
【００４３】
本出願において使用した“構成する”の用語については、説明した特徴、整数、ステップ、または要素の存在を特定しているが、さらに１または２以上の他の特徴、整数、ステップ、要素、またはそれらの組み合わせの存在または追加を除外するものではないことを強調する。
【００４４】
上記の特定の実施形態は単なる例であり、決して限定的に考えられるべきではない。本発明の範囲は、特許請求の範囲により決定され、特許請求の範囲に含まれるすべての変更および均等な範囲が本発明の範囲に包含されている。
【図面の簡単な説明】
【００４５】
【図１】移動無線携帯電気通信のシステム図である。
【図２】ＨＳＤＰＡチャネルを通じて送信されるサービスを使用するＵＥであって、ＨＳＤＰＡでないチャネルにおいてＳＨＯの発生を表す図である。
【図３Ａ】ＨＳＤＰＡチャネルにおけるハンドオーバを表す図である。
【図３Ｂ】ＨＳＤＰＡチャネルにおけるハンドオーバを表す図である。
【図４】ＵＥの一部を表すブロック図である。
【図５】本発明の本質に従った方法のフローチャートである。
【図１】
2008539620.tif 000003
【図２】
2008539620.tif 000004
【図３Ａ】
2008539620.tif 000005
【図３Ｂ】
2008539620.tif 000006
【図４】
2008539620.tif 000007
【図５】
2008539620.tif 000008
【手続補正書】
【提出日】平成19年2月19日(2007.2.19)
【手続補正１】
【補正対象書類名】特許請求の範囲
【補正対象項目名】全文
【補正方法】変更
【補正の内容】
【特許請求の範囲】
【請求項１】
通信システム（１０）におけるユーザ端末（ＵＥ）（４００）であって、
前記ＵＥを対象とした制御信号を再生する装置（４１０）であって、その場合に、前記制御信号は少なくとも２つの送信ノード（１６，１８、２０、２２、２４、２６；２０４、２０６）から前記ＵＥに向かう送信電力制御（ＴＰＣ）コマンドを含み、前記送信ノードのうち１つの送信ノードは事前に決定された通信サービスのためのサービング・ノード（ｓｅｒｖｉｎｇ  ｎｏｄｅ）である前記装置（４１０）と、
複数の時間スロット（ｔｉｍｅ  ｓｌｏｔｓ）の間に、前記サービング・ノードから前記ＵＥに向かうＴＰＣコマンドから比率信号（ｒａｔｉｏ  ｓｉｇｎａｌ）を生成するように構成された、ＴＰＣコマンド・フィルタ（４２０）と、
前記比率信号に応答し、前記装置からＴＰＣコマンドを受信し、前記受信ＴＰＣコマンドおよび前記比率信号に基づいて、前記ＵＥによる送信電力を制御するために使用されるＴＰＣ制御信号を生成するように構成された、ＴＰＣ合成器（４１２）とからなり、その場合に、
前記比率信号が第一しきい値を超えた場合、前記ＴＰＣ制御信号は前記サービング・ノードから前記ＵＥに向かうＴＰＣコマンドのみに基づくことを特徴とする、送信電力を可変制御するユーザ端末。
【請求項２】
前記比率信号が前記第一しきい値を超えなかった場合、前記ＴＰＣ制御信号は、前記少なくとも２つの送信ノードから前記ＵＥに向かう前記ＴＰＣコマンドの合成に基づくことを特徴とする、請求項１に記載の送信電力を可変制御するユーザ端末。
【請求項３】
前記ＴＰＣコマンド・フィルタは、前記複数の時間スロットの間に受信する電力上昇コマンドを集計することを特徴とする、請求項１に記載の送信電力を可変制御するユーザ端末。
【請求項４】
前記第一しきい値は約０．８であることを特徴とする、請求項３に記載の送信電力を可変制御するユーザ端末。
【請求項５】
前記ＴＰＣコマンド・フィルタは、前記複数の時間スロットの間に受信する電力下降コマンドを集計することを特徴とする、請求項３に記載の送信電力を可変制御するユーザ端末。
【請求項６】
前記比率信号が第二しきい値を越えるが第一しきい値を超えない場合、前記ＴＰＣ制御信号は、前記複数の時間スロットに続く第一時間スロットに対しては、前記少なくとも２つの送信ノードから前記ＵＥに向かう前記ＴＰＣコマンドの合成に基づき、前記複数の時間スロットに続く第二時間スロットに対しては、前記サービング・ノードから前記ＵＥに向かうＴＰＣコマンドのみに基づくことを特徴とする、請求項１に記載の送信電力を可変制御するユーザ端末。
【請求項７】
前記ＴＰＣコマンド・フィルタは、前記複数の時間スロットの間に受信する電力上昇コマンドを集計することを特徴とする、請求項６に記載の送信電力を可変制御するユーザ端末。
【請求項８】
前記第一しきい値は約０．９で、第二しきい値が０．６であることを特徴とする、請求項７に記載の送信電力を可変制御するユーザ端末。
【請求項９】
前記通信システムは、広帯域符号分割多元接続（ＷＣＤＭＡ：ｗｉｄｅｂａｎｄ  ｃｏｄｅ  ｄｉｖｉｓｉｏｎ  ｍｕｌｔｉｐｌｅ  ａｃｃｅｓｓ）を使用し、前記事前に決定された通信サービスは、高速下り回線パケット接続（ＨＳＤＰＡ：ｈｉｇｈ−ｓｐｅｅｄ  ｄｏｗｎｌｉｎｋ  ｐａｃｋｅｔ  ａｃｃｅｓｓ）サービスであることを特徴とする、請求項１に記載の送信電力を可変制御するユーザ端末。
【請求項１０】
通信システム（１０）における上がり回線（ｕｐｌｉｎｋ）において、前記ＵＥによる送信電力を制御するユーザ端末（４００）内での方法であって、
少なくとも２つの通信ノード（１６，１８、２０、２２、２４、２６；２０４、２０６）から送信電力制御（ＴＰＣ）コマンドを受信し、その場合に、前記送信ノードのうち１つの送信ノードは事前に決定された通信サービスのためのサービング・ノードであり、
複数の時間スロットの間に前記サービング・ノードから受信したＴＰＣコマンドからの比率信号を生成し、
受信したＴＰＣコマンドおよび前記比率信号に基づいて、前記ＵＥによる前記送信電力を制御するためにＴＰＣ制御信号を生成し、その場合に、前記比率信号が第一しきい値を超えた場合、前記ＴＰＣ制御信号は前記サービング・ノードから受信したＴＰＣコマンドのみに基づく、各ステップからなることを特徴とする、可変送信電力制御方法。
【請求項１１】
前記比率信号が第一しきい値を超えなかった場合、前記ＴＰＣ制御信号は、前記少なくとも２つの通信ノードから受信した前記ＴＰＣコマンドの合成に基づくことを特徴とする、請求項１０に記載の可変送信電力制御方法。
【請求項１２】
前記比率信号の生成は、前記複数の時間スロットの間に受信する電力上昇コマンドの集計を含むことを特徴とする、請求項１０に記載の可変送信電力制御方法。
【請求項１３】
前記第一しきい値は約０．８であることを特徴とする、請求項１２に記載の可変送信電力制御方法。
【請求項１４】
前記比率信号の生成は、前記複数の時間スロットの間に受信する電力下降コマンドの集計を含むことを特徴とする、請求項１２に記載の可変送信電力制御方法。
【請求項１５】
前記比率信号が第二しきい値を越えるが第一しきい値を超えない場合、前記ＴＰＣ制御信号は、前記複数の時間スロットに続く第一時間スロットに対しては、前記少なくとも２つの通信ノードから受信した前記ＴＰＣコマンドの合成に基づき、前記複数の時間スロットに続く第二時間スロットに対しては、前記サービング・ノードから受信したＴＰＣコマンドのみに基づくことを特徴とする、請求項１０に記載の可変送信電力制御方法。
【請求項１６】
前記比率信号の生成は、前記複数の時間スロットの間に受信する電力上昇コマンドを集計することを特徴とする、請求項１５に記載の可変送信電力制御方法。
【請求項１７】
前記第一しきい値は約０．９で、第二しきい値が約０．６であることを特徴とする、請求項１６に記載の可変送信電力制御方法。
【請求項１８】
前記比率信号の生成は、前記複数の時間スロットの間に受信する電力下降コマンドの集計を含むことを特徴とする、請求項１６に記載の可変送信電力制御方法。
【請求項１９】
前記通信システムは、広帯域符号分割多元接続（ＷＣＤＭＡ：ｗｉｄｅｂａｎｄ  ｃｏｄｅ  ｄｉｖｉｓｉｏｎ  ｍｕｌｔｉｐｌｅ  ａｃｃｅｓｓ）を使用し、前記事前に決定された通信サービスは、高速下り回線パケット接続（ＨＳＤＰＡ：ｈｉｇｈ−ｓｐｅｅｄ  ｄｏｗｎｌｉｎｋ  ｐａｃｋｅｔ  ａｃｃｅｓｓ）サービスであることを特徴とする、請求項１０に記載の可変送信電力制御方法。
【請求項２０】
コンピュータ読み取り可能な媒体であって、通信システム（１０）における上がり回線において、ユーザ端末（ＵＥ）（４００）による送信電力を制御するためのコンピュータ・プログラムを含み、その場合に、前記コンピュータ・プログラムは、
複数の時間スロットの間にサービング・ノード（１６，１８、２０、２２、２４、２６；２０４、２０６）から受信した送信電力（ＴＰＣ）コマンドの比率信号を生成し、
前記サービング・ノードおよび前記少なくとも１つの他の通信ノード（１６，１８、２０、２２、２４、２６；２０４、２０６）から受信したＴＰＣコマンド、および前記ＴＰＣコマンドの比率信号に基づいて、前記ＵＥによる前記送信電力を制御するためにＴＰＣ制御信号を生成する、各ステップからなるコンピュータ・プログラムであり、その場合に、
前記比率信号が第一しきい値を超えた場合、前記ＴＰＣ制御信号は前記サービング・ノードから受信したＴＰＣコマンドのみに基づくことを特徴とする、送信電力を可変制御するコンピュータ読み取り可能な媒体。
【請求項２１】
前記ＴＰＣコマンドの比率信号が第一しきい値を超えなかった場合、前記ＴＰＣ制御信号は、前記サービング・ノード、および前記少なくとも１つの他の通信ノードから受信した前記ＴＰＣコマンドの合成に基づくことを特徴とする、請求項２０に記載の送信電力を可変制御するコンピュータ読み取り可能な媒体。
【請求項２２】
前記比率信号が第二しきい値を越えるが第一しきい値を超えない場合、前記ＴＰＣ制御信号は、前記複数の時間スロットに続く第一時間スロットに対しては、前記サービング・ノードおよび前記少なくとも１つの他の通信ノードから受信した前記ＴＰＣコマンドの合成に基づき、前記複数の時間スロットに続く第二時間スロットに対しては、前記サービング・ノードから受信したＴＰＣコマンドのみに基づくことを特徴とする、請求項２０に記載の送信電力を可変制御するコンピュータ読み取り可能な媒体。
【手続補正２】
【補正対象書類名】明細書
【補正対象項目名】００２０
【補正方法】変更
【補正の内容】
【００２０】
タカノらによる米国特許出願公報ＵＳ２００５／００４３０５１号において、携帯システム、移動局、基地局、および送信電力制御方法について記載されている。複数の基地局とＳＨＯの状態で接続された移動局、およびパケットを送信する基地局から受信したパケットが、基地局の下り回線の個別物理チャネル（ｄｅｄｉｃａｔｅｄ  ｐｈｙｓｉｃａｌ  ｃｈａｎｎｅｌ）に含まれた第一送信電力制御情報に基づいて、上がり回線の個別物理チャネルの送信電力を制御する。他の記載においては、移動局は、パケットを送信する基地局の下り回線の個別物理チャネルに含まれた第２送信電力制御情報に基づいて、送信電力を制御する。ＤＰＣＨのＳＨＯの間におけるＨＳチャネルの電力制御の方式が多くの文献で記載されている。例えばマラディらによる米国特許出願公報ＵＳ  ２００４／０２０３９８５号、およびウィンネットらによる国際特許公報ＷＯ  ２００４／０１９５１３Ａ１号などである。マラディらによる文献では、ＵＥがＳＨＯになった場合に、上がり回線のＨＳ−ＤＰＣＣＨの整合性を維持するためにＵＬの電力制御が供給される、と記載されている。ＲＮＣは、サービング・ノードのパイロット信号強さおよび／またはサービング・ノードのＵＬチャネル状態に基づいて、パイロット信号の目標ＳＮＲしきい値を制御している。
【国際調査報告】
2008539620.tif 000009
2008539620.tif 000010
2008539620.tif 000011